(57)【要約】【課題】上面を投入面として広く確保できる横置きタイプのホッパーを使用できるとともに、下部中央に取り出し口を設け、ここから攪拌物をホッパー内部に残すことなく効率よく排出でき、しかも、攪拌手段と排出手段を分けることなく、一体のものとして、構造や設備機器を簡素化でき、コンパクト化及びコストダウンを実現できる。【解決手段】上面を開口面としてここを投入口９とし、また、底面８ａを湾曲させた横置きタイプのホッパー８の内部に、攪拌手段として、水平に回転軸１５を設け、この回転軸１５にアーム１６の先端に横羽根１７を設けたＴ字形の攪拌羽根１８を放射状に突設し、また、ホッパー８の中央の底部に排出口２０を形成し、かつ、横羽根１７は底面８ａに近接させるとともに、一部の横羽根１７は回転軸１５と平行する線に対して一端が回転軸中央部に向くように傾斜させた。【選択図】　　　　図１
2004115300.tif 000002
【特許請求の範囲】
【請求項１】
上面を開口面としてここを投入口とし、また、底面を湾曲させた横置きタイプのホッパーの内部に、攪拌手段として、水平に回転軸を設け、この回転軸にアームの先端に横羽根を設けたＴ字形の攪拌羽根を放射状に突設し、また、ホッパー中央の底部に排出口を形成し、かつ、攪拌羽根の横羽根は底面に近接させるとともに、一部の横羽根は回転軸と平行する線に対して一端が回転軸中央部に向くように傾斜させたことを特徴とする堆肥作製用攪拌機。
【請求項２】
攪拌羽根の横羽根は、回転軸中央部に近づく横羽根は傾斜角を大とする請求項１記載の堆肥作製用攪拌機。
【請求項３】
攪拌羽根は、回転軸端から中央に向かい旋回するように並べて回転軸に設ける請求項１または請求項２記載の堆肥作製用攪拌機。
【請求項４】
排出口上面を通過するように、回転軸中央に、傾斜させずにアームに直交する横羽根の攪拌羽根を設ける請求項１ないし請求項３のいずれかに記載の堆肥作製用攪拌機。
【請求項５】
ホッパーの左右側壁に近い攪拌羽根は、アーム途中に縦羽根を該側壁に近接するように設ける請求項１ないし請求項４のいずれかに記載の堆肥作製用攪拌機。
【請求項６】
ホッパーは、四隅に設ける支持脚柱で支承し、底下にベルトコンベア端を挿入するだけの空間を確保する請求項１ないし請求項４のいずれかに記載の堆肥作製用攪拌機。
【発明の詳細な説明】
【０００１】
【発明の属する技術分野】
本発明は、家畜の生ふんや敷きわら等の材料を攪拌して堆肥化を促進させる堆肥作製用攪拌機に関するものである。
【０００２】
【従来の技術】
従来から、家畜の排泄物の処理にあたっては、排泄物にわら等の材料を加えて堆積し、それを発酵させて堆肥を生成している。
【０００３】
このような堆肥生成用として下記特許文献にあるような堆肥化袋が提案されている。
【０００４】
【特許文献１】
特開２００２−０８０２８９号公報　　堆肥化袋
【特許文献２】
特開２００１−２６１４７６号公報　　堆肥化袋
【特許文献３】
特開２００１−２２０２７７号公報　　堆肥化袋
【特許文献４】
特開２０００−１０９３８７号公報　　堆肥化袋
【特許文献５】
特開平０９−２７８５７３号公報　　　堆肥化コンテナー
【０００５】
これらは、一般に筒状の袋本体と、この袋本体に対して開閉自在な上蓋とからなり、さらにその素材は、すべて通気性のあるメッシュ等で構成されていて、原肥である農畜産廃棄物の堆肥化は自然界に存在する微生物の分解によるものであるため、発酵を促進するため袋内部の通気性を保つ必要があるからである。
【０００６】
袋本体と、袋の上蓋、上蓋を開閉自在とするためのファスナーよりなり、原肥を投入した後、１〜数ヶ月程度屋外に放置して腐熟させ、堆肥となったものを取り出して利用する。
【０００７】
そして、このような堆肥化袋に農畜産廃棄物を投入するに際して、材料の堆肥化を迅速に進めるためには、堆積物中の通気性を高め、材料内に生息する微生物の働きを促進する必要があるので、塊になっている堆積物をほぐして通気性を高め、細菌の発酵を助けるための切り返しという作業が行われる。
【０００８】
この切り返し作業は、ホイールローダなどに取り付けられたバケットで堆積物（堆肥）を掬いとった後、バケットを小刻みに振動させて少しずつ堆肥を堆肥化袋内に落とし、塊になっている堆肥をほぐすことにより行われており、これでは堆積物を十分にほぐすことができず、堆肥化の促進に十分とはいえなかった。また、バケットを小刻みに振動させながらの作業はオペレータの操作性を悪化させるものであり、ホイールローダ本体の耐久性を悪化させる。
【０００９】
そこで、攪拌機を使用して、ホイールローダからの堆積物（堆肥）を一度この攪拌機で受けて、攪拌してから堆肥化袋に投入することが検討される。かかる攪拌機は、通常、ホッパー内に攪拌用の羽根を設けてなるが、攪拌・混合物の取り出しを考慮して上端面を投入口とし、下端に排出口を設けた縦型のホッパーのものが殆どであった。
【００１０】
しかし、このような縦型ホッパーの攪拌機では全体の高さが高くなり、その結果、投入口も高いので、ホイールローダ等からの投入が困難である。また、縦型である結果、上端面投入口が比較的狭いものとなってしまう。
【００１１】
これに対して、図１８、図１９に示すような底部を湾曲させた横置きタイプのホッパー１を使用し、その中に攪拌手段２として攪拌棒２ｂを設けた攪拌機の使用が検討される。ホッパー１は上面を開口面として、ここを投入口３としたものであり、攪拌手段２は内部に水平な回転軸２ａを設け、この回転軸２ａに攪拌棒２ｂを直角にかつ放射状に突設した。
【００１２】
なお、堆肥作製用攪拌機ではないが、生ゴミ処理機として、同様に横置きタイプの槽を使用し、その内部に水平な回転軸を設け、この回転軸に攪拌棒を直角にかつ放射状に突設した攪拌手段を設けたものには下記の公開特許公報がある。
【００１３】
【特許文献６】
特開２００１−２７６７８１号公報　　　生ゴミ処理機
【特許文献７】
特開２００１−２７６７８２号公報　　　生ゴミ処理機
【００１４】
【発明が解決しようとする課題】
しかし、このような横置きタイプのホッパーによる攪拌機では、攪拌された後の攪拌物の取り出しが問題であり、下に取り出し口を設けてここに集めることはできず、スクリューコンベア４等の排出手段を設ける必要がある。この排出手段を設ける分、全体が大型化し、また、回転軸２ａの駆動モータ５ａの他に、スクリューコンベア４の専用の駆動モータ５ｂを設けるなど設備費やランニングコストも増大する。
【００１５】
さらに、真下から取り出せないので、堆肥化袋６に搬送するための投入コンベア７も横にずらせて置くなどスペース的制限を受け、使い勝手の悪いものとなる。
【００１６】
前記特許文献６、７では、攪拌棒は回転軸の端部から中央に向けて順次短くなり、攪拌されるゴミが中央に集まるように配慮するとあるが、このように構成しただけでは効率良く中央に集めることはできない。しかも、底面にこびり着く材料を残さずに集めることもできない。
【００１７】
本発明の目的は前記従来例の不都合を解消し、上面を投入面として広く確保できる横置きタイプのホッパーを使用できるとともに、下部中央に取り出し口を設け、ここから攪拌物をホッパー内部に残すことなく効率よく排出でき、しかも、攪拌手段と排出手段を分けることなく、一体のものとして、構造や設備機器を簡素化でき、コンパクト化およびコストダウンを実現できる堆肥作製用攪拌機を提供することにある。
【００１８】
【課題を解決するための手段】
本発明は前記目的を達成するため、第１に、上面を開口面としてここを投入口とし、また、底面を湾曲させた横置きタイプのホッパーの内部に、攪拌手段として、水平に回転軸を設け、この回転軸にアームの先端に横羽根を設けたＴ字形の攪拌羽根を放射状に突設し、また、ホッパー中央の底部に排出口を形成し、かつ、攪拌羽根の横羽根は底面に近接させるとともに、一部の横羽根は回転軸と平行する線に対して一端が回転軸中央部に向くように傾斜させたこと、および、攪拌羽根の横羽根は、回転軸中央部に近づく横羽根は傾斜角を大とすることを要旨とするものである。
【００１９】
第２に、攪拌羽根は、回転軸端から中央に向かい旋回するように並べて回転軸に設けること、第３に、排出口上面を通過するように、回転軸中央に、傾斜させずにアームに直交する横羽根の攪拌羽根を設けること、第４に、ホッパーの左右側壁に近い攪拌羽根は、アーム途中に縦羽根を該側壁に近接するように設けること、第５に、ホッパーは、四隅に設ける支持脚柱で支承し、底下にベルトコンベア端を挿入するだけの空間を確保することを要旨とするものである。
【００２０】
請求項１記載の本発明によれば、本発明の攪拌機は、上面を開口面としてここを投入口とした横置きタイプのホッパーであるので、全体的に低く設定し、しかも、広い投入口を確保でき、ホイールローダ等からの投入に最適なものとなる。
【００２１】
また、ホッパー中央の底部に排出口を形成し、ここから攪拌の材料を取り出すようにしたので、場所を取らない状態での取り出しが可能である。請求項５と関連して、排出口の直下にベルトコンベア端を挿入するようにコンベアを場所を取らないように設置できる。
【００２２】
しかも、投入された農畜産廃棄物は、攪拌羽根で（詳しくは攪拌羽根のアームと横羽根で）効率良く攪拌されるとともに、この攪拌羽根は横羽根が底面に近接しているので、底面に対して付着する材料を掻き落とし、攪拌効果と掻き落とし効果の両方を発揮することができる。また、このように排出口をホッパー中央の底部に設けることに関連して、一部の横羽根は回転軸中央方向に傾斜させたので、材料をこの横羽根で押して中央の集め、排出口へと導くことが可能である。
【００２３】
請求項２記載の本発明によれば、前記作用に加えて、攪拌羽根の横羽根は、回転軸中央部に近づく横羽根は傾斜角を大としたので、より中央への集め効果を確実にすることができる。
【００２４】
請求項３記載の本発明によれば、攪拌羽根は、回転軸端から中央に向かい旋回するように並べて回転軸に設けたので、全体としてスクリュー効果を発揮でき、より効率的に攪拌および中央への寄せ集めを行うことができる。
【００２５】
請求項４記載の本発明によれば、傾斜させずにアームに直交する横羽根の攪拌羽根を回転軸中央に、しかも、排出口上面を通過するように設けることで、この攪拌羽根は中央掻き出し用として中央に寄せ集めた材料を確実に排出口に送り込むことができる。
【００２６】
請求項５記載の本発明によれば、ホッパーの左右側壁に付着する材料についても縦羽根で掻き落とすことができる。
【００２７】
請求項６記載の本発明によれば、堆肥化袋に搬送するための投入コンベアの設置で余分な場所を取ることもなく、使い勝手を向上させることができる。
【００２８】
【発明の実施の形態】
以下、図面について本発明の実施の形態を詳細に説明する。図１は本発明の堆肥作製用攪拌機の１実施形態を示す正面図、図２、３は同上側面図、図４は平面図で、図中８は横置きタイプのホッパーである。
【００２９】
このホッパー８は上面を開口面としてその全面を投入口９とし、また、底面８ａをドーム状に突出するように湾曲させている。図中８ｂは左右の側壁を示す。
【００３０】
さらに、ホッパー８の上面周囲を水平な枠１０で囲み、この枠１０に上端を衝合するようにして支持脚柱１１をホッパー８の四隅に設ける。さらに、支持脚柱１１の下端にはキャスター１２を設けて全体を移動容易とした。図中１２ａはキャスター１２のストッパーであり、これがある固定側とない自由側とに分けた。このようにホッパー８はキャスター１２を設けた支持脚柱１１で支承することで、底下に後述の投入ベルトコンベア端を挿入するだけの空間１４を確保した。
【００３１】
また、この固定側キャスター１２を設けた側をホッパー８の背面側として、背面側と背面側に近い左右側面の約半分でホッパー８の上端を前記枠１０より突出させて上端ガード１３とした。この上端ガード１３はホッパー８の正面側には設けられない。
【００３２】
ホッパー８の内部には、攪拌手段として、水平に回転軸１５を設け、この回転軸１５にアーム１６の先端に横羽根１７を左右の張り出すように設けたＴ字形の攪拌羽根１８を放射状に突設した。
【００３３】
回転軸１５は端部をベアリング支承するものであり、側壁８ｂの外側に駆動用のスプロケット（又はホイール）２６を設け、支持脚柱１１同士を結ぶ横桟に設けたモータ２７でこのスプロケット（又はホイール）２６を介してチェーンまたはベルト駆動する。図中２３は操作盤である。
【００３４】
図５〜８に示すように回転軸１５は、縦長台形状の結合用ピース２８を中央を境に、左側は左ねじの螺旋を描くように、また、右側は右ねじの螺旋を描くように、旋回させて適宜間隔で突設する。該結合用ピース２８はボルト孔（図示では上下２個）を設ける。
【００３５】
前記攪拌羽根１８のアーム１６は板状であり、結合用ピース２８に下端を重ねボルトで締結する。また、アーム１６の先端には設ける横羽根１７が底面８ａに近接させるようにアーム１６の長さを設定する。図９、図１０に攪拌羽根１８の基本形を示す。このようにして攪拌羽根１８は、結合用ピース２８にアーム１６を取り付けることで、回転軸１５端から中央に向かい旋回するように並べて回転軸１５に設けられる。
【００３６】
また、攪拌羽根１８はこの横羽根１７の回転軸１５と平行する線に対して一端が回転軸１５の中央部に向くようにした傾きと大きさで数種類に分かれる。
【００３７】
図１１はその説明図で、（ａ）（ｂ）（ｃ）とあるように、（ａ）では多少小降りの大きさで、（ａ）（ｂ）の傾き角は一例として２５°、（ｃ）は３０°で傾斜角を大となし、図１に示すように（ａ）の角度の横羽根１７の攪拌羽根１８は回転軸１５の左右端に近い位置に設けられ、その次に（ｂ）の角度の横羽根１７の攪拌羽根１８が位置し、さらにその中側（中央側）に（Ｃ）の角度の横羽根１７の攪拌羽根１８が位置する。
【００３８】
さらに、ホッパー８の左右側壁８ｂに近い（ａ）の角度の横羽根１７の攪拌羽根１８には図１２〜図１４に示すように、アーム１６の途中に縦羽根１９を該側壁８ｂに近接するように設ける。この縦羽根１９の支持アーム１９ａは略直角に湾曲させた。
【００３９】
また、攪拌羽根１８とてしは横羽根１７を傾斜させないものも回転軸１５の中央に設ける。図１５、図１６はその正面、側面を示す。
【００４０】
図中２０は扉２０ａを有する排出口であるが、これはホッパー８の中央の底部に形成し、扉２０ａを開閉する操作軸２１をホッパー８の底面８ａに沿わせ、操作軸２１の端に回転ハンドル２２を設けた。
【００４１】
前記図１５、図１６に示す横羽根１７を傾斜させない攪拌羽根１８は、この排出口２０の上面を通過するように設ける。
【００４２】
次に使用法について説明する。図１６は使用状態を示す側面図で、堆肥化袋６を設置し、この堆肥化袋６と本発明の堆肥作製用攪拌機を連結するように投入ベルトコンベア２４を設置する。
【００４３】
家畜の生ふんや敷きわら等の農畜産廃棄物をホイールローダ２５などを使用して、また、所定量の水を、ホッパー８に投入口９より投入する。この投入は上端ガード１３がない正面側から行う。
【００４４】
そして、攪拌羽根１８を回転させば、これらの材料は攪拌・混合され、盛り上がり部分は上端ガード１３で外に漏れるのが防止できる。しかも、攪拌羽根１８は横羽根１７が底面８ａに近接しているので、底面８ａに対して付着する材料を掻き落とし、また、ホッパー８の左右側壁８ｂに付着する材料についても縦羽根１９で掻き落とすことができる。
【００４５】
さらに、一部の横羽根１７は回転軸中央方向に傾斜させたので、材料はこの横羽根１７で押されて中央に集められる。排出口２０は扉２０ａを開けば、前記材料はこの排出口２０から排出され、投入ベルトコンベア２４により堆肥化袋６と運ばれる。
【００４６】
【発明の効果】
以上述べたように本発明の堆肥作製用攪拌機は、上面を投入面として広く確保できる横置きタイプのホッパーを使用できるとともに、下部中央に取り出し口を設け、ここから攪拌物をホッパー内部に残すことなく効率よく排出でき、しかも、攪拌手段と排出手段を分けることなく、一体のものとして、構造や設備機器を簡素化でき、コンパクト化およびコストダウンを実現できるものである。
【図面の簡単な説明】
【図１】本発明の堆肥作製用攪拌機の１実施形態を示す正面図である。
【図２】本発明の堆肥作製用攪拌機の１実施形態を示す左側面図である。
【図３】本発明の堆肥作製用攪拌機の１実施形態を示す右側面図である。
【図４】本発明の堆肥作製用攪拌機の１実施形態を示す平面図である。
【図５】本発明の堆肥作製用攪拌機に組み込む回転軸の正面図である。
【図６】図５のＡ線断面図である。
【図７】図５のＢ線断面図である。
【図８】図５のＣ線断面図である。
【図９】攪拌羽根の正面図である。
【図１０】攪拌羽根の側面図である。
【図１１】攪拌羽根の横羽根の角度を示す説明図である。
【図１２】縦羽根を有する攪拌羽根の正面図である。
【図１３】縦羽根を有する攪拌羽根の側面図である。
【図１４】図１３のＡ線断面図である。
【図１５】中央掻き出し用の攪拌羽根の正面図である。
【図１６】中央掻き出し用の攪拌羽根の側面図である。
【図１７】本発明の堆肥作製用攪拌機の使用状態を示す側面図である。
【図１８】従来例を示す縦断側面図である。
【図１９】従来例を示す平面図である。
【符号の説明】
１…ホッパー　　　　　　　　　２…攪拌手段
２ａ…回転軸　　　　　　　　　２ｂ…攪拌棒
３…投入口　　　　　　　　　　４…スクリューコンベア
５ａ、５ｂ…駆動モータ　　　　６…堆肥化袋
７…投入コンベア　　　　　　　８…ホッパー
８ａ…底面　　　　　　　　　　８ｂ…側壁
９…投入口　　　　　　　　　　１０…枠
１１…支持脚柱　　　　　　　　１２…キャスター
１２ａ…ストッパー　　　　　　１３…上端ガード
１４…空間　　　　　　　　　　１５…回転軸
１６…アーム　　　　　　　　　１７…横羽根
１８…攪拌羽根
１９…縦羽根　　　　　　　　　１９ａ…支持アーム
２０…排出口　　　　　　　　　２０ａ…扉
２１…操作軸　　　　　　　　　２２…回転ハンドル
２３…操作盤　　　　　　　　　２４…投入ベルトコンベア
２５…ホイールローダ
２６…スプロケット（又はホイール）
２７…モータ　　　　　　　　　２８…結合用ピース
【図１】
2004115300.tif 000003
【図２】
2004115300.tif 000004
【図３】
2004115300.tif 000005
【図４】
2004115300.tif 000006
【図５】
2004115300.tif 000007
【図６】
2004115300.tif 000008
【図７】
2004115300.tif 000009
【図８】
2004115300.tif 000010
【図９】
2004115300.tif 000011
【図１０】
2004115300.tif 000012
【図１１】
2004115300.tif 000013
【図１２】
2004115300.tif 000014
【図１３】
2004115300.tif 000015
【図１４】
2004115300.tif 000016
【図１５】
2004115300.tif 000017
【図１６】
2004115300.tif 000018
【図１７】
2004115300.tif 000019
【図１８】
2004115300.tif 000020
【図１９】
2004115300.tif 000021